(57)【特許請求の範囲】
【請求項１】
腹側に位置する腹側部、背側に位置する背側部、及び該腹側部と該背側部とが接合された一対のサイドシール部を備えたパンツ型吸収性物品であって、
前記背側部及び前記腹側部はいずれも複数のシート部材からなり、
前記サイドシール部近傍における前記シート部材間に廃棄用部材が配置されており、
前記廃棄用部材は少なくとも一部が前記シート部材に固定されており、
前記腹側部又は前記背側部における前記シート部材は、前記パンツ型吸収性物品の幅方向における前記廃棄用部材と重なる位置に脆弱部が設けられており、
前記脆弱部の破断により前記腹側部を、前記背側部と接合した腹側サイド部と腹側中央部とに分離して、前記パンツ型吸収性物品を展開状態とする際、又は、
前記脆弱部の破断により前記背側部を、前記腹側部と接合した背側サイド部と背側中央部とに分離して、前記パンツ型吸収性物品を展開状態とする際に、
前記廃棄用部材が露出するようになされている、パンツ型吸収性物品。
【請求項２】
前記廃棄用部材は、前記脆弱部よりも前記パンツ型吸収性物品の幅方向端縁側の位置で、前記シート部材に固定されている、請求項１記載のパンツ型吸収性物品。
【請求項３】
前記パンツ型吸収性物品は、液透過性の表面シート及び液保持性の吸収性コアを有する吸収性本体と、該吸収性本体の非肌当接面側に位置して該吸収性本体を固定している外装体とを具備し、
前記外装体は、外層シートと、該外層シートの内面側に配された内層シートとを有し、
前記廃棄用部材は、前記外層シートと前記内層シートとの間に配置されている、請求項１又は２記載のパンツ型吸収性物品。
【請求項４】
前記パンツ型吸収性物品は、液透過性の表面シート及び液保持性の吸収性コアを有する吸収性本体と、該吸収性本体の非肌当接面側に位置して該吸収性本体を固定している外装体とを具備し、
前記外装体は、外層シート、該外層シートの内面側に配された内層シート、及び該外層シートを形成するシート部材が前記吸収性物品の長手方向端部で折り返されて該内層シートの肌側面に重ねられた折り返し部を有し、
前記廃棄用部材が、前記内層シートと前記折り返し部との間に配置されている、請求項１又は２記載のパンツ型吸収性物品。
【請求項５】
前記脆弱部が、前記外層シートに形成された外側脆弱部と、前記内層シートに形成された内側脆弱部からなり、該外側脆弱部と該内側脆弱部とが、前記腹側部又は前記背側部の前記幅方向における相互に異なる位置に設けられている、請求項３記載のパンツ型吸収性物品。
【請求項６】
前記廃棄用部材は、前記幅方向の一端部のみが前記シート部材に固定されている、請求項１〜５の何れか１項記載のパンツ型吸収性物品。
【請求項７】
前記廃棄用部材は、前記サイドシール部において該廃棄用部材を挟む一対の前記シート部材間に固定されている、請求項１〜６の何れか１項記載のパンツ型吸収性物品。
【請求項８】
前記廃棄用部材の止着部は、メカニカルファスナーのオス材からなり、
前記オス材が、前記廃棄用部材を挟む前記シート部材に止着されている、請求項１〜７の何れか１項記載のパンツ型吸収性物品。
【請求項９】
前記廃棄用部材が伸縮性部材からなる請求項１〜８の何れか１項記載のパンツ型吸収性物品。
【請求項１０】
前記脆弱部は、前記パンツ型吸収性物品の長手方向に沿って、前記腹側部を、前記ウエスト開口部から前記レッグ開口部に渡って縦断するように形成されている、請求項１〜９の何れか１項記載のパンツ型吸収性物品。
【発明の詳細な説明】
【技術分野】
【０００１】
本発明は、パンツ型吸収性物品に関する。
【背景技術】
【０００２】
従来、背側に位置する背側部、腹側に位置する腹側部、及び背側部と腹側部とが接合された一対のサイドシール部を備えたパンツ型使い捨ておむつなどのパンツ型吸収性物品が知られている。パンツ型吸収性物品の多くは、その外表面にテープ等の廃棄用部材が配置されており、該吸収性物品の廃棄時には、該吸収性物品を丸めて該廃棄用部材で止着することが一般的に行われている。
しかしながら、パンツ型吸収性物品の外表面に廃棄用部材を配置する場合、該吸収性物品の使用中に、着用者がテープ等の該廃棄用部材をいたずらして引き伸ばしたり、廃棄用部材が衣服に引っかかったりすることにより、廃棄用部材が使用できない状態となる恐れがある。
【０００３】
これに対し、吸収性物品の外表面以外の箇所に廃棄用部材を配置する技術が提案されている。
例えば特許文献１には、吸収性本体と外装材とを備えた使い捨て着用物品において、該吸収性本体の外表面であって、かつ、該外装材の内側に、着用物品の廃棄時に使用する帯状のテープ部材が収容され、かつ、該外装材には該テープ部材に対応する位置に該外装材を破断容易とする破断線が形成される技術が記載されている。
また、特許文献２には、腹側腰回り部の幅方向の両側部における透液性表面シートと不透液性裏面シートとの間に、それぞれ矩形状の廃棄用テープを１つずつ配設する使い捨て吸収性物品が記載されている。
また、特許文献３には、前腹部と後背部の両側縁部の内、一方の側縁部において前腹部と後背部の少なくとも一方に対して接合されるとともに、着用者側へ延びる環状のタブを備え、上記タブは、スリット線と、タブをおむつに止着可能な止着部を有するパンツ型使い捨ておむつが記載されている。
【先行技術文献】
【特許文献】
【０００４】
【特許文献１】特開２００９−１５３７７４号公報
【特許文献２】特開２００５−２７０１８１号公報
【特許文献３】特開２００５−１８１号公報
【発明の概要】
【発明が解決しようとする課題】
【０００５】
しかしながら、特許文献１の着用物品は、テープ部材及び破断線は、背側部の中央に形成されており、該着用物品を廃棄する際には、サイドシール部を剥離して着用者から着用物品を外した後に、更に破断線で外装体を破断してテープ部材を取り出さなければならないので、着用物品の廃棄に手間がかかってしまう。
また、特許文献２では、透液性表面シートと不透液性裏面シートとの間に配された廃棄用テープをどのように取り出すか何ら記載されていない。
また、特許文献３では、タブは着用者の肌に接するように配されているため、タブとのこすれ等による肌トラブルの懸念等も存在する。
【課題を解決するための手段】
【０００６】
本発明は、上記課題を鑑みてなされたものであり、背側に位置する背側部、腹側に位置する腹側部、及び背側部と腹側部とが接合された一対のサイドシール部を備えたパンツ型吸収性物品であって、前記背側部及び前記腹側部はいずれも複数のシート部材からなり、前記サイドシール部近傍における前記シート部材間に廃棄用部材が配置されており、前記廃棄用部材は少なくとも一部が前記シート部材に固定されており、前記シート部材は、前記吸収性物品の幅方向における前記廃棄用部材と重なる位置に脆弱部が設けられており、前記脆弱部の破断により前記廃棄用部材を露出可能になされている、パンツ型吸収性物品を提供するものである。
また、前記のパンツ型吸収性物品として、液透過性の表面シート及び液保持性の吸収性コアを有する吸収性本体と、該吸収性本体の非肌当接面側に位置して該吸収性本体を固定する外装体とを具備し、前記廃棄用部材が、前記外装体の内層不織布（内層シート）と外層不織布（外層シート）との間に配置されている、パンツ型吸収性物品を提供するものである。
また、前記のパンツ型吸収性物品として、液透過性の表面シート及び液保持性の吸収性コアを有する吸収性本体と、該吸収性本体の非肌当接面側に位置して該吸収性本体を固定する外装体とを具備し、前記外装体は、外層不織布（外層シート）、内層不織布（内層シート）、及び外層不織布（外層シート）が前記吸収性物品の長手方向端部で折り返されて該内層不織布（内層シート）の肌側面に重ねられた折り返し部を有し、前記廃棄用部材が、前記内層不織布と前記折り返し部との間に配置されている、パンツ型吸収性物品を提供するものである。
【発明の効果】
【０００７】
本発明のパンツ型吸収性物品によれば、廃棄用部材を、その使用時まで安全に保護できると共に該パンツ型吸収体物品を着用者から外す動作によって簡便に取り出して使用でき、且つ、廃棄用部材が肌と当接することによる肌トラブルも防止できる。
【図面の簡単な説明】
【０００８】
【図１】本発明の第１実施形態であるパンツ型使い捨ておむつの斜視図である。
【図２】図１に示すパンツ型使い捨ておむつを、そのサイドシール部を引き裂いて展開し、各部の弾性部材を伸長させておおむね平面状に広げた状態の内面側を示す図である。
【図３】図２のＩ−Ｉ線断面図である。
【図４】図１のII−II線断面図である。
【図５】脆弱部でパンツ型使い捨ておむつを破いて廃棄テープを取り出す様子を示す斜視図である。
【図６】廃棄のため、丸められたパンツ型使い捨ておむつを示す斜視図である。
【図７】第２実施形態であるパンツ型使い捨ておむつを示す図であり、図２相当図である。
【図８】図７に示すパンツ型使い捨ておむつの断面図であり、図４相当図である。
【図９】第３実施形態であるパンツ型使い捨ておむつを示す図であり、図２相当図である。
【図１０】図９に示すパンツ型使い捨ておむつの断面図であり、図４相当図である。
【図１１】第４実施形態であるパンツ型使い捨ておむつを示す図であり、図２相当図である。
【図１２】第５実施形態であるパンツ型使い捨ておむつを示す図であり、図４相当図である。
【図１３】本発明の他の変形例を示す図であり、図４相当図である。
【図１４】本発明の更に他の変形例を示す図である。
【発明を実施するための形態】
【０００９】
（第１実施形態）
以下、本発明の吸収性物品を、その好ましい実施形態に基づき図面を参照しながら説明する。
図１〜図６に示すように、本発明の第１実施形態であるパンツ型使い捨ておむつ１（以下、「おむつ１」とも言う）は、腹側部Ａ、背側部Ｂ及び腹側部Ａと背側部Ｂとが接合された一対のサイドシール部８，８を備える。腹側部Ａ及び背側部Ｂはいずれも複数のシート部材（外層シート６１，内層シート６２,外層シート６１の折り返し部６１ａ，６１ｂ）からなり、サイドシール部８，８近傍におけるシート部材（外層シート６１，内層シート６２）間に廃棄用部材（廃棄テープ１０，１０）が配置されており、廃棄テープ１０，１０は少なくとも一部がシート部材（外層シート６１，内層シート６２）に固定されており、シート部材（外層シート６１，内層シート６２）は、おむつ１の幅方向（Ｘ方向）における廃棄用部材１０と重なる位置に脆弱部２０が設けられており、脆弱部２０の破断により廃棄用部材１０を露出可能になされている。
図１、図２のように、腹側部Ａは、おむつ１の装着時に、着用者の腹側に配される部位であり、背側部Ｂは、着用者の背側に配される部位である。また、おむつ１は、着用者の股下に配され、腹側部Ａと背側部Ｂをつなぐ部位である股下部Ｃを有する。
なお、本明細書中、「廃棄用部材」とは、パンツ型使い捨ておむつの廃棄のため該おむつを丸める際に、その丸めた状態を保持するための部材を意味する。
【００１０】
おむつ１は、図１、図２のように、その長手方向（腹側部Ａから股下部Ｃを通り、背側部Ｂへ向かう方向）に伸びる中心線ＣＬに対して左右対称であり、おむつ１の長手方向（以下、「Ｙ方向」ともいう）は当該中心線ＣＬと平行である。おむつ１の幅方向は、着用時における着用者のウエスト周りないし胴回りの周方向と同方向である。以下、おむつ１の幅方向（おむつ１を図２に示すように展開して伸長した状態において、前記中心線ＣＬと垂直な方向）を「Ｘ方向」ともいう。
【００１１】
おむつ１は、図２に示すように、液透過性の表面シート２と、液不透過性又は撥水性の裏面シート３と、両シート２，３間に介在して液保持性の吸収性コアを有する吸収体４とを有する実質的に縦長の吸収性本体５、及び吸収性本体５の裏面シート側（非肌当接面側）に位置して該吸収性本体５を固定している外装体６を備えている。
【００１２】
おむつ１は、腹側部Ａの両側縁部６ａ，６ａと背側部Ｂの両側縁部６ｂ，６ｂとを、公知の接合手段により互いに接合して一対のサイドシール部８，８を形成することにより、図１に示す、ウエスト開口部ＷＯ及び一対のレッグ開口部ＬＯ，ＬＯを有するパンツ型の形態に形成されている。公知の接合手段としては、接着剤、ヒートシール、高周波シール、超音波シーツ等が挙げられる。
【００１３】
図２に示すように、外装体６は、吸収性本体５の周縁部の外方全域に亘って延出しており、その両側縁が、長手方向（Ｙ方向）中央部において、それぞれ内方に向かって凸の円弧状に湾曲しており、長手方向中央部が括れた形状を有している。
また、外装体６は、図１、図２に示すように、おむつの外表面をなす外層シート６１と、外層シート６１の内面側に配されている内層シート６２と、両シート６１，６２間に配設固定された、複数本のウエスト弾性部材６３、複数本のレッグ弾性部材６４及び複数本の胴回り部弾性部材６５とから形成されている。
【００１４】
図２、図３に示すように、外装体６は、外層シート６１と、内層シート６２のほか、外層シート６１が、吸収性本体５より長手方向（Ｙ方向）の端部より外方部分において内層シート６２側に折り返されて生じた折り返し部６１ａ，６１ｂを有している。
詳述すると、おむつ１における外層シート６１を構成するシート部材は、腹側部Ａ及び背側部Ｂにおいて、外層シート６１と内層シート６２とによってウエスト弾性部材６３を挟持固定した部位よりも更に長手方向（Ｙ方向）外方に延出する長さを有し、その延出した部分が、ウエスト開口部ＷＯの周縁端において、内層シート６２側に折り返されて生じた折り返し部６１ａ，６１ｂを形成している。折り返し部６１ａは、その長手方向（Ｙ方向）の端縁が、吸収性本体５の長手方向（Ｙ方向）の腹側部Ａ側の端縁よりも股下部Ｃ寄りの位置まで延びている。同様に折り返し部６１ｂも、その長手方向（Ｙ方向）の端縁６１ｂ１が、吸収性本体５の長手方向（Ｙ方向）の背側部Ｂ側の端縁よりも股下部Ｃ寄りの位置まで延びている。
また、腹側部Ａ及び背側部Ｂそれぞれの幅方向の中央部においては、図２に示すように、内層シート６２と、外層シート６１の折り返し部６１ａとの間、及び内層シート６２と、外層シート６１の折り返し部６１ｂとの間に、吸収性本体５の長手方向（Ｙ方向）の端部が挟持固定されている。
なお、図１のII−II線断面図である図４では、外層シート６１の折り返し部６１ａ、６１ｂは省略されている（図４相当図である図８，１０，１１，１２も同様）。
【００１５】
図１、図２に示すように、複数本のウエスト弾性部材６３は、腹側部Ａ及び背側部Ｂそれぞれのウエスト開口部ＷＯの周縁部に設けられている。各ウエスト弾性部材６３は、伸長状態で、おむつ１の幅方向に沿って配設固定されている。
また、複数本のレッグ弾性部材６４は、レッグ開口部ＬＯの周縁部に設けられており、各レッグ弾性部材６４は、伸長状態で、レッグ開口部ＬＯの周方向に沿って配設固定されている。
また、複数本の胴回り部弾性部材６５は、腹側部Ａ及び背側部Ｂそれぞれにおいて、ウエスト弾性部材６３の配置部位と股下部Ｃの端部との間に配されている。胴回り部弾性部材６５は、前記中心線ＣＬの左右両側に分割された状態で、それぞれおむつ１の幅方向に沿って配設固定されている。
【００１６】
ここでウエスト弾性部材６３は、おむつ１の長手方向（Ｙ方向）において吸収性本体５の端縁よりもおむつ１の端縁側に位置する弾性部材であり、胴回り部弾性部材６３は、おむつ１の長手方向（Ｙ方向）において吸収性本体５の端縁よりもおむつ１の中央側に位置する弾性部材である。
また図３に示すように、胴回り部弾性部材６５とウエスト弾性部材６３との間には、Ｙ方向の間隔Ｌ１が設けられている。間隔Ｌ１は後述する廃棄テープ１０の短手方向の幅Ｓよりも大きい。
【００１７】
なお、本実施形態のおむつ１では、ウエスト弾性部材６３，レッグ弾性部材６４及び胴回り部弾性部材６５が、外層シート６１と内層シート６２との間に接着剤を介して固定されているが、外層シート６１と内層シート６２とが互いに接着固定されていることによって更に強固にウエスト弾性部材６３，レッグ弾性部材６４及び胴回り部弾性部材６５が固定されていてもよい。
しかし、両シート６１，６２は、少なくとも廃棄テープ１０の配置箇所においては、（後述のように廃棄テープ１０がサイドシール部８に固定される場合の当該サイドシール部８は除き、）互いに接着されていない。
【００１８】
続いて、本実施形態の廃棄テープ１０の配置および構成について詳述する。
図３及び図４に示すように、廃棄テープ１０，１０は帯状であり、その平面が外層シート６１及び内層シート６２と略平行となり、且つ、短手方向がＹ方向、長手方向がＸ方向とそれぞれ同方向になるように配置されている。
【００１９】
図３に示すように、廃棄テープ１０は、おむつ１の厚み方向では外層テープ６１と内層テープ６２との間に、且つ、おむつ１の長手方向（Ｙ方向）では、上記したウエスト弾性部材６３と胴回り部弾性部材６５との間（間隔Ｌ１）に収納されている。よってＹ方向において重なる位置に廃棄テープ１０とウエスト弾性部材６３及び胴回り部弾性部材６５が配設されない構成となり、廃棄テープ１０が各弾性部材６３，６５の伸縮を妨げることがない。
ただし、廃棄テープ１０は、ウエスト弾性部材６３と胴回り部弾性部材６５との間に設けなくても、胴回り部弾性部材６５間に設けるのでもよい。また、廃棄テープ１０とＹ方向において重なる位置であっても、廃棄テープ１０がない位置には、ウエスト弾性部材６３或いは胴回り部弾性部材６５を配設してもよい。
【００２０】
図１、図２に示すように、本実施形態のおむつ１には、２本の廃棄テープ１０，１０が、それぞれ腹側部Ａにおける幅方向（Ｘ方向）両側のサイドシール部８，８近傍に配されている。
本明細書中において、「サイドシール部の近傍」とは、おむつ１の幅方向（Ｘ方向）における吸収性本体５の端縁位置Ｒからおむつ１（本実施形態では腹側部Ａ）の端縁位置Ｗまでの部分を指す。そして、廃棄テープ１０の全体が位置Ｒから位置Ｗまでの部分に納まるように配置されることが好ましいが、一部が当該部分からはみ出てしまってもよい。また、廃棄テープ１０がサイドシール部８近傍に配されていることを、廃棄テープ１０の後述する固定部１１の位置Ｖとおむつ１の端縁位置ＷとのＸ方向距離Ｌ２が小さいことであると定義してもよい。好ましくは、上記距離Ｌ２は、距離Ｌ３（中央線ＣＬからおむつ１の端縁位置ＷまでのＸ方向距離）に対する割合が０〜５０％であり、更に好ましくは５〜３０％である。
【００２１】
後述のように、おむつ１には、一方のサイドシール部８近傍に１本の廃棄テープ１０のみが配されるのでもよい。
【００２２】
図４に示すように、本実施形態では、廃棄テープ１０のＸ方向の一端部（廃棄テープ１０の長手方向の一端部）である固定部１１がサイドシール部８において外層シート６１、内層シート６２との間に固定されている。具体的に言うと、通常、サイドシール部８において、腹側部Ａの一側縁側の外層シート６１及び内層シート６２、背側部Ｂの一側縁側の外層シート６１及び内層シート６２の計４枚が重なり合って接合される。しかし本実施形態では、当該４枚に加えて廃棄テープ１０も、その固定部１１が、腹側部Ａの外層シート６１と腹側部Ａの内層シート６２との間に挟まれて重ね合わされ、融着により接合、固定されている。
なお、本明細書中では「固定部」とは、廃棄用部材（廃棄テープ１０）を挟む一対のシート部材のいずれか、又は両方に固定されている部分を言う。
【００２３】
図４のように、廃棄テープ１０は、上述の固定部１１のみが外層シート６１及び内層シート６２に、固定され、それ以外の部分は外層シート６１にも内層シート６２にも固定されない。固定とは接着、融着等の任意公知の方法により廃棄テープをシート部材に接続させることをいう。
好ましくは、廃棄テープ１０の長手方向において、その全長に対する、固定部１１の長さの割合は５〜５０％であり、より好ましくは１０〜３０％である。
【００２４】
廃棄テープ１０の形成材料としては、例えばテープ基材に接着剤を塗布したものが挙げられる。テープ基材としては、ポリオレフィン系、ポリエステル系、ポリアミド系やポリウレタン系の樹脂（２種以上の組合せも含む）からなる、樹脂性シート（プラスチックシート，フィルム等）、不織布、織布など、従来用いられていた公知のものを特に制限なく用いることができ、また、粘着剤として、従来の廃棄用テープの止着部形成用に、従来用いられていた各種公知のものを特に制限なく用いることができる。
廃棄テープ１０は外層シート６１及び内層シート６２よりも剛性が高いことが好ましいが、低くてもよい。剛性が高いことが好ましいのは、後述のように、脆弱部２０を破断した際に廃棄テープ１０の自由端部１２（固定部１１と反対側の端部）が露出しやすいためである。
【００２５】
図４のように、本実施形態の廃棄テープ１０は、Ｚ折状に折りたたまれていることにより、内層シート６２側の内層１３１，外層シート６１側の外層１３３、及び内層１３１、外層１３３との間の中間層１３２とからなる三層部分１３を有する。
ただし、廃棄テープ１０は第２実施形態等で示すような、折りたたまれない、いわゆる一枚ものでもよく、或いは、三つ折り状（Ｚ折状）、二つ折り状、四つ折り状で収納されていてもよい。また、後述のように、また、廃棄テープ１０は、伸縮性を有する部材から構成されて収縮した状態で収納されて、後に詳述する脆弱部２０を破断すると収縮状態から開放されて外部に露出されるのでもよい。
【００２６】
廃棄テープ１０は、おむつ１の廃棄時に丸めた状態のおむつ１を止着するための止着部１５を有する。本実施形態の廃棄テープ１０における止着部１５は、例えば、廃棄テープ１のうち、丸めた状態のおむつ１の外表面に止着するのに適した箇所に配される接着剤層からなる。止着部１５は、廃棄テープ１０における内層シート６２側に、（折りたたんだ状態の廃棄テープ１０では、仮にシート６１，６２間に収納したまま引き伸ばした場合の、内層シート６２側に）形成されるのが好ましい。
【００２７】
図４のように、本実施形態の止着部１５は、中間層１３２の外層シート６１側の片面１３２ａと、当該面１３２ａと接する外層１３３の内層シート６２側の片面１３３ａとに形成された接着剤層である。この場合、剥離紙等を用いなくても、収納状態では両シート６１，６２と接着しないため、好ましい。なお接着剤層は、必ずしも、上記の片面１３２ａ，１３３ａに形成される必要はない。それ以外の部分に接着剤層を形成する場合は、接着剤層に剥離紙を貼着したり、適切な接着剤（例えば、圧力によって接着するタイプ）を選択すると、収納状態で両シート６１，６２に接着しないため好ましい。
なお廃棄テープ１０の自由端部１２には、彩色部１４が形成されている。彩色部１４の色は、青、赤等の任意の色でよい。
【００２８】
続いて、本実施形態の脆弱部２０について詳述する。
図２、図４のように、脆弱部２０は、外層シート６１に形成される外側脆弱部２１（図２に一点鎖線で示す）及び内層シート６２に形成される内側脆弱部２２（図２に点線で示す）からなる。外側脆弱部２１と、内側脆弱部２２は、いずれも、おむつ１の幅方向（Ｘ方向）における廃棄テープ１０と重なる位置に設けられている。脆弱部２０（外側脆弱部２１、内側脆弱部２２）はその周囲の外層シート６１又は内層シート６２に比して破断が容易な部位である。両脆弱部２１，２２は、例えば、両シート６１，６２にそれぞれ破断容易な複数の貫通孔を線状に設けてもよいし、加熱等により破断容易とした部位でもよい。
また、両脆弱部２１，２２は図２に示すように直線状に形成されなくても、帯状や曲線状でもよく、任意の模様を描くように形成されてもよい。
【００２９】
また、両脆弱部２１，２２は図２のように廃棄テープ１０と実際に重なる位置になくても、おむつ１の幅方向（Ｘ方向）において廃棄テープ１０と重なる位置にあればよい。その場合、脆弱部２０を破断する動作により両シート６１，６２の廃棄テープ１０と重なる部位が破断されることが好ましい。
また図２等のように、両脆弱部２１，２２は、腹側部Ａのサイドシール部８近傍部分（上記位置Ｒと上記位置Ｗとの間の部分）をＹ方向に縦断する平行な２本の直線状である。しかし、両脆弱部２１，２２は必ずしも、腹側部Ａのサイドシール部８の近傍部分を、Ｙ方向の全長に渡るように形成されなくてもよい。ただし、腹側部Ａのサイドシール部８近傍部分は、両脆弱部２１，２２を破断する動作によって、Ｙ方向の全長に渡って破断されて、図５のように腹側部Ａが腹側サイド部Ａ１と腹側中央部Ａ２とに分離されることが望ましい。
なお、本実施形態では、両脆弱部２１，２２はいずれもＹ方向と平行な直線状（廃棄テープ１０の長手方向と直交する直線状）である。
【００３０】
また、図２等のように、両脆弱部２１，２２は、おむつ１の幅方向（Ｘ方向）において、廃棄テープ１０の固定部１１に対して、腹側部Ａの端縁位置Ｗとは反対側にある。つまり、廃棄テープ１０は、両脆弱部２１，２２よりもおむつ１の幅方向端縁Ｗ側の位置で、外層シート６１と内層シート６２に固定されている。
【００３１】
また図２、図４のように、外側脆弱部２１と内側脆弱部２２は、おむつ１の幅方向（Ｘ方向）における異なる位置にある。例えば、本実施形態では、図２の一点鎖線で示す外側脆弱部２１は、点線で示す内側脆弱部２２よりも、おむつ１の端縁Ｗ側に設けられている。
【００３２】
ここで脆弱部２０の破断時に廃棄テープ１０を外部に露出しやすくする観点から、脆弱部２０（中央線ＣＬ側の内側脆弱部２２）から廃棄テープ１０の中央線ＣＬ側端縁位置までのＸ方向距離Ｌ４は長くなりすぎないことが望ましい。好ましくは、図２に示す距離Ｌ４は、上述した中央線ＣＬからおむつ１の端縁位置Ｗまでの距離Ｌ３の１０〜５０％であることが好ましい。
【００３３】
図５、図６に基づいて、以上のように構成されたおむつ１を、廃棄する過程について説明する。
図５のように、着用状態のおむつ１を、両脆弱部２１，２２で破断することにより、腹側部Ａを、背側部Ｂと接合した腹側サイド部Ａ１，Ａ１と、腹側中央部Ａ２とに分離して、おむつ１を展開状態とする。この際、サイドシール部８に固定された廃棄テープ１０の自由端部１２が、腹側中央部Ａ２の外層シート６１と内層シート６２との間から外れて、外部に露出する。
【００３４】
おむつ１を展開状態にして着用者から外した後は、図６のように、おむつ１を丸める。具体的には、おむつ１を、排泄物がある場合にはそれを包みこむようにして、廃棄テープ１０，１０のない長手方向（Ｙ方向）端部（本実施形態では腹側中央部ＡのＹ方向端部）から内側に丸める。そして、廃棄テープ１０，１０を丸めた状態のおむつ１の外表面に止着して当該状態を保持する。
本実施形態のように廃棄テープ１０，１０がＺ折状に折りたたまれている場合は、各廃棄テープ１０，１０を引き伸ばす。例えば、止着部１５が、上述した中間層１３２の外層シート側の片面１３２ａ，外層１３３の内層シート６２側の片面１３３ａに設けられる接着剤層である場合は、当該接着剤層をおむつ１の外表面を構成する外層シート６１に接着させる。
図６のように、その際、廃棄テープ１０の自由端部１２同士を重ならせてもよいし、２本の廃棄テープ１０の各止着部１５を、おむつ１の外表面の別々の位置に止着させてもよい。
【００３５】
なお、片側の廃棄テープ１０のみをおむつ１に配する場合は、当該廃棄テープ１０及び当該廃棄テープ１０に形成される止着部１５のＸ方向長さを長く形成して、当該長い止着部１５によって、丸まった状態のおむつ１の外表面と共に廃棄テープ１０のない腹側サイド部Ａ１を止着するようにしてもよい。
【００３６】
以上詳細に説明したように、本実施形態では、外層シート６１，内層シート６２間に廃棄テープ１０，１０が配置されているから、廃棄テープ１０が直接肌に当接することによる肌トラブルが防止できると共に、廃棄テープ１０を使用時まで安全に保護できる。
また、外層シート６１，内層シート６２には、おむつ１の幅方向（Ｘ方向）における廃棄テープ１０と重なる位置に脆弱部２０（外側脆弱部２１，内側脆弱部２２）が設けられ、脆弱部２０の破断により廃棄テープ１０を露出可能になされているから、おむつ１を着用者から外す動作によって廃棄テープ１０を簡便に取り出して使用できる。
【００３７】
また廃棄テープ１０は、両脆弱部２１，２２よりもおむつ１の幅方向端縁Ｗ側の位置で、外層シート６１，内層シート６２間に固定されているから、両脆弱部２１，２２を破断しておむつ１を展開状態としたときに、おむつ１の廃棄テープ１０を有する腹側サイド部Ａ１，Ａ１と該腹側サイド部Ａ１，Ａ１と接合した背側部Ｂとで丸めたおむつ１を包み込むことができる。つまり、丸めたおむつ１を包み込む側のＸ方向長さを長くできるから、おむつ１を容易に包み込むことができる。
【００３８】
また、外装体６の外層シート６１と内層シート６２との間に廃棄テープ１０を配置するため、外層シート６１を介して外部から廃棄テープ１０が視認しやすく、廃棄テープ１０を外部から取り出しやすい。また、廃棄テープ１０に厚みや剛性があり、内層シート６２及び外層シート６１の折り返し部６１ａを介して着用者の肌と擦れても、両者の間に内層シート６２と該折り返し部６１ａとが介在することにより、肌トラブルがより起こりにくく、着用者の違和感もより少ない。
【００３９】
また、外側脆弱部２１と内側脆弱部２２はＸ方向の異なる位置に設けられていることにより、図５のように、腹側サイド部Ａ１，Ａ１において、廃棄テープ１０を挟む外層シート６１のＸ方向端縁７１（外側脆弱部２１と略同位置）と、内層シート６２のＸ方向端縁７２（内側脆弱部と略同位置）とが重ならず、廃棄テープ１０の自由端部１２をつまみやすい。本実施形態では、外側脆弱部２１が内側脆弱部２２よりも、おむつ１のＸ方向端縁Ｗ側に設けられているため、廃棄テープ１０全長のうち外部に露出される長さを長くできると共に、特に外側から廃棄テープ１０をつまみやすくなっている。
【００４０】
また、廃棄テープ１０は、おむつ１の幅方向の一端部（固定部１１）のみが外層シート６１及び内層シート６２の間に固定されている。このため、廃棄テープ１０と両シート６１，６２との固定によってウエスト弾性部材６３、胴回り部弾性部材６５の収縮が阻害されることを最小限に防止できる。また、廃棄テープ１０の全長のうち、把持できる部分が長くなり、後述のように脆弱部２０の破断時に廃棄テープ１０をより摘みやすくなる。
【００４１】
また、廃棄テープ１０は、サイドシール部８において該廃棄テープ１０を挟む一対の外層シート６１，内層シート６２の間に固定されているので、廃棄テープ１０を非常に強固に固定できる。製造ラインにおいても、後述のように、サイドシール部８以外の部分における内層シート６２、外層シート６１のいずれかに廃棄テープ１０を固定する場合に比べて、接着工程によるシートの蛇行等の恐れが少なく、比較的容易に廃棄テープ１０を固定できる。
【００４２】
また、廃棄テープ１０は、彩色部１４が形成されているから、外部から視認しやすく、廃棄テープ１０を取り出しやすい。
【００４３】
また、本実施形態では、廃棄テープ１０と脆弱部２０とは腹側部Ａに設けられるので、着用者が仰向け状態のときに脆弱部２０を破断しやすく、また廃棄テープ１０を取り出しやすい。よって、例えば、着用者の月齢が低く、立った状態でおむつ１を外しにくい場合に便利である。
【００４４】
以下では、第２実施形態以降のパンツ型使い捨ておむつを説明する。第２実施形態以降では、特に第１実施形態と異なる点について説明する。第２実施形態以降では、第１実施形態と同一又は相等する構成について同じ符号を付し、説明を省略する。
【００４５】
（第２実施形態）
図７、図８は、第２実施形態のおむつ１Ａを示す。
図７のように、第２実施形態のおむつ１Ａでは、廃棄テープ１０Ａ，１０Ａは、腹側部Ａではなく、背側部Ｂに配される。図７，図８のように、廃棄テープ１０Ａ，１０Ａは、それぞれのＸ方向の一端部が、Ｘ方向においてサイドシール部８，８よりも中央線ＣＬ寄りの内層シート６２に接着剤層１８を介して接着された固定部１１Ａ，１１Ａを有する。なお、固定部１１Ａ，１１Ａは外層シート６１に接着されるのでもよい。
【００４６】
図８に示すように、第２実施形態の廃棄テープ１０Ａは折りたたまれない状態で収納されている。このように、廃棄テープ１０Ａが折りたたまれない、いわゆる一枚ものであることは、接着剤層を介して折りたたまれた廃棄テープを、使用時に展開させる手間が不要である点で好ましい。廃棄テープ１０Ａは、その自由端部１２近傍の内層シート６２を向く片面に設けられた接着剤層等からなる止着部１５Ａを有する。
【００４７】
なお、図７のように、第２実施形態の脆弱部２０Ａにおける外側脆弱部２１，内側脆弱部２２は、第１実施形態同様、一対の平行な直線状であっておむつ１Ａのサイドシール部８，８近傍部分をＹ方向に縦断している。ただし、第２実施形態の両脆弱部２１，２２は、おむつ１ＡのＹ方向端縁から股下部Ｃに向かうにつれて中央線ＣＬから離間するように、Ｙ方向に対して傾斜している。これにより、両脆弱部２１，２２は、廃棄テープ１０Ａの長手方向に斜めに交差している。
【００４８】
以上説明した第２実施形態のおむつ１Ａでは、第１実施形態と同様の効果を有するほか、背側部Ｂに廃棄テープ１０Ａ，１０Ａ及び脆弱部２０Ａ，２０Ａが配設されるために、着用者が立った状態で脆弱部２０Ａ，２０Ａを容易に破断して廃棄テープ１０Ａ，１０Ａを取り出せる。また、従来、背側部Ｂに配される廃棄テープに慣れている消費者にも違和感がない。
【００４９】
（第３実施形態）
図９、図１０は第３実施形態のおむつ１Ｂを示す。第１、第２実施形態と異なり、第３実施形態の廃棄テープ１０Ｂでは内層シート６２（外層シート６１でもよい）に固定されている一端部である固定部１１Ｂが、脆弱部２０Ｂよりもおむつ１Ｂの幅方向（Ｘ方向）における中央線ＣＬ側にある。その他、廃棄テープ１０Ｂ，１０Ｂが背側部Ｂに収納されている点、廃棄テープ１０Ｂが折りたたまれていない点、脆弱部２０Ｂの内側脆弱部２２及び外側脆弱部２１がＹ方向に対し傾斜している点は、第２実施形態と同様である。
【００５０】
なお、第３実施形態のおむつ１Ｂでは、脆弱部２０Ｂを破断した展開状態において、廃棄テープ１０Ｂ，１０Ｂは背側部Ｂのうち、破断により両サイド部分と分離された中央部分に設けられる。よっておむつ１Ｂでは、丸めた状態のおむつ１Ｂを包み込む側の長さ（Ｘ方向の長さ）が第１，第２実施形態のおむつ１，１Ａよりも短くなるが、この点を除けば、第１、第２実施形態と同様の効果を有する。
【００５１】
（第４実施形態）
図１１のように、第４実施形態のおむつ１Ｃでは、廃棄テープ１０Ｃの自由端部１２の片面に、メカニカルファスナーのオス材１６が設けられている。つまり、第４実施形態では、廃棄テープ１０Ｃの止着部１５Ｃは、当該オス材１６からなる。メカニカルファスナーのオス材１６としては、その表面に多数の突起状の係合部材が配された各種公知のものを特に制限なく用いることができる。
図１１のように、メカニカルファスナーのオス材１６は外層シート６１側を向くように廃棄テープ１０Ｃの外層シート６１側の面に設けられ、外層シート６１に止着されている。なお、オス材１６は、内層シート６２側を向くように廃棄テープ１０Ｃの内層シート６２側の面に設けられ、内層シート６２に止着されていてもよい。このように、オス材１６が内層シート６２に止着されていることは、製造ラインで廃棄テープ１０Ｃが蛇行する心配が無く、好ましい。
そして、おむつ１Ｃの廃棄時には、丸められたおむつ１Ｃの外層シート６１表面に上記オス材１６を直接係合させることによって、廃棄テープ１０Ｃを丸められたおむつ１Ｃの外表面に止着させる。
【００５２】
以上、第４実施形態のおむつ１Ｃでは、第１実施形態で説明した効果に加え、止着部１５Ｃがメカニカルファスナーのオス材１６からなるため、廃棄テープ１０Ｃが尿や軟便等の排泄物に触れても止着部１５Ｃの止着力が低下しにくい。また、オス材１６が、廃棄テープ１０Ｃを挟む外層シート６１（又は内層シート６２）に止着されているため、つまり廃棄テープ１０Ｃの両端部がそれぞれ脆弱部２０を挟んで両側に止着されているため、脆弱部２０を破断した際に、廃棄テープ１０Ｃがさらに容易に露出するようになされている。また比較的硬い部材からなるオス材１６が外層シート６１側を向いているため、着用者の肌に刺激が少ない構成となる。
【００５３】
（第５実施形態）
図１２のように、第５実施形態のおむつ１Ｄでは、本発明の廃棄用部材の一例として、環状の伸縮性部材１０Ｄが、サイドシール部８，８近傍の外層シート６１と内層シート６２との間に配置されている。
環状の伸縮性部材１０Ｄの形成素材は、ゴムやプラスチック、不織布等の繊維集合体等、伸縮性を有する公知のものを特に制限なく使用でき、例えば輪ゴム等であってもよい。環状の伸縮性部材１０Ｄも、おむつ１Ｄの幅方向（Ｘ方向）の一端部が接着剤層１８により固定された固定部１１Ｄを有する。
第５実施形態のおむつ１Ｄでは、脆弱部２１，２２を破断して環状の伸縮性部材１０Ｄを外部に露出する。その後、おむつ１Ｄを丸めてから、環状の伸縮性部材１０Ｄを伸ばしつつ、該伸縮性部材１０Ｄでおむつ１Ｄを外側から一周りするように括る。環状の伸縮性部材１０Ｄの締め付けによっておむつ１Ｄの丸めた状態が保持される。
以上より、第５実施形態のおむつ１Ｄでも、第１実施形態と同様の効果を有することができる。
【００５４】
以上、本発明のパンツ型吸収性物品について好ましい実施形態を複数説明したが、本発明は上述した各実施形態に何ら制限されるものではなく、適宜変更可能である。
【００５５】
例えば第１実施形態等では、外装体の外層シート及び内層シートとの間に廃棄用部材を配置していた。しかし、廃棄用部材は、外層シートの折り返し部と内層シートの間に配置されてもよい。第１実施形態の変形例として、図１３に、腹側部Ａにおける外層シート６１の折り返し部６１ａと内層シート６２との間に配される廃棄テープ１０Ｅを示す。廃棄テープ１０Ｅ（特に、廃棄テープ１０Ｅの固定部）は、弾性部材のない箇所（弾性部材とおむつの厚み方向において重ならない箇所）に配置されることが、弾性部材の収縮を阻害しない観点から好ましい。
なお、廃棄テープ１０Ｅは、折り返し部６１ａと内層シート６２とが互いに接着されていない隙間に配されている。
なお、廃棄用部材を外層シートの折り返し部と内層シートとの間に配置するのは、製造工程上、弾性部材が接着固定される外層シート・内層シート間に廃棄用部材を配置するよりも比較的容易である点で好ましい。
【００５６】
また例えば、図４等のように、第１実施形態等のサイドシール部８，８は、腹側部Ａの両側縁部６ａ，６ａ及び背側部Ｂの両側縁部６ｂ，６ｂを合掌型に重ね合わせて形成されていた。しかし、図１４のように、第１実施形態等のサイドシール部８を、腹側部Ａ及び背側部Ｂのいずれか一方の内面と、もう一方の外面とが接する、いわゆる平面型に形成されたサイドシール部８´に替えてもよい。このようにすると、サイドシール部８´が比較的剥離しにくく、脆弱部で破断しやすい。
【００５７】
また例えば、本発明の廃棄用部材を挟むシート部材は、外装体の外層シート、内層シート及び外層シートの折り返し部のみから構成されるのではなく、サイドシール部近傍に位置するのであれば、液通過性の表面シートや、液不透過性又は撥水性の裏面シート等から構成されるのでもよい。
【００５８】
上述した一の実施形態における説明省略部分及び一の実施形態のみが有する要件は、それぞれ他の実施形態に適宜適用することができ、また、各実施形態における要件は、適宜、実施形態間で相互に置換可能である。
【符号の説明】
【００５９】
１，１Ａ〜１Ｅ  パンツ型使い捨ておむつ
８  サイドシール部
１０，１０Ａ〜１０Ｃ  廃棄テープ
１０Ｄ  環状の伸縮性部材
１１，１１Ａ〜１１Ｄ  固定部
２０，２０Ａ，２０Ｂ  脆弱部
２１  外側脆弱部
２２  内側脆弱部
６１  外層シート
６１ａ，６１ｂ  外層シートの折り返し部
６２  内層シート
Ａ  背側部
Ｂ  腹側部
Ｃ  股下部
【図１】
0005662125.tif 000002
【図２】
0005662125.tif 000003
【図３】
0005662125.tif 000004
【図４】
0005662125.tif 000005
【図５】
0005662125.tif 000006
【図６】
0005662125.tif 000007
【図７】
0005662125.tif 000008
【図８】
0005662125.tif 000009
【図９】
0005662125.tif 000010
【図１０】
0005662125.tif 000011
【図１１】
0005662125.tif 000012
【図１２】
0005662125.tif 000013
【図１３】
0005662125.tif 000014
【図１４】
0005662125.tif 000015